(57)【特許請求の範囲】
【請求項１】
陳列用の冷ケースの冷気吸出入孔に装着させて表示物を支持する冷ケース用表示支持具において、前記表示物を支持すると共に係止孔を有する支持具本体と、該支持具本体の係止孔及び前記冷気吸出入孔に差し込み係止する突起部を有するつまみ係止体と、からなることを特徴とする冷ケース用表示支持具。
【請求項２】
前記支持具本体は、円形孔を中央に有する長孔からなる前記係止孔に、前記つまみ係止体の突起部を受け入れた際、前記係止孔の変形を補助するための孔であって、前記係止孔の長孔の両サイド近傍で、且つ長孔に沿った方向に延出する細長の孔を設けてなる請求項１記載の冷ケース用表示支持具。
【請求項３】
前記つまみ係止体の突起部は軸に翼を設けてなる請求項１又は２記載の冷ケース用表示支持具。
【請求項４】
前記支持具本体に表示物支持材を着脱自在に設けた請求項１〜３記載のいずれか１項に記載の冷ケース用表示支持具。
【発明の詳細な説明】
【０００１】
【発明の属する技術分野】
本発明は、スーパーマーケット等において、陳列用の冷ケースの商品表示に使用する表示物を支持するための冷ケース用表示支持具に関する。
【０００２】
【従来の技術】
スーパーマーケット等において、精肉、鮮魚、野菜又は冷凍食品等の商品は、陳列用の冷ケースａ内に保冷されると共に陳列されている。この冷ケースａは、上部の吹出孔ｂから吹き出される冷気ガスを下部の前面に位置したケース枠ｃに設けられた冷気吸入孔ｄに受入れ、循環させて冷気によるエアーカーテンｅを形成して、その保冷効果を高めると共に、客が上記商品を容易に取り出せるようになっている。
【０００３】
従来、この陳列用の冷ケースａ内の商品について、その品名、価格等を示す表示物ｆは、図１０に示すような外置きスタンドポップｇ、或いは内置きスタンドポップｈが表示支持具として使用されている。
【０００４】
【発明が解決しようとする課題】
しかしながら、従来の外置きスタンドポップｇでは、陳列した商品から離れている為、どの商品を表示しているのか分かりづらかったり、客の通行の妨げとなる不都合が生じたり、また、内置きスタンドポップｈでは、冷ケースａ内で場所を取るため、その分収納出来る商品の量が少なくなるという不都合が生じていた。
【０００５】
従って、本発明の目的は、陳列商品や客の邪魔にならず、かつ陳列商品の近くに表示物を設置出来、しかも転倒することの無い冷ケース用表示支持具を提供することにある。
【０００６】
【課題を解決するための手段】
かかる実情において、本発明者は鋭意検討した結果、本発明を完成するに至った。すなわち本発明は、陳列用の冷ケースの冷気吸出入孔に装着させて表示物を支持する冷ケース用表示支持具において、前記表示物を支持すると共に係止孔を有する支持具本体と、該支持具本体の係止孔及び前記冷気吸出入孔に差し込み係止する突起部を有するつまみ係止体と、からなることを特徴とする冷ケース用表示支持具を提供するものである。従って、支持具本体の係止孔につまみ係止体の突起部を差し込み、その状態で更に冷ケースの冷気吸出入孔に突起部を差し込み係止することで、支持具本体に商品の表示物を転倒することが無く支持させることが出来、陳列商品や客の邪魔にならず、かつ陳列商品の近くに表示物を設置することが出来る。
【０００７】
請求項２の発明は、前記支持具本体は、円形孔を中央に有する長孔からなる前記係止孔に、前記つまみ係止体の突起部を受け入れた際、前記係止孔の変形を補助するための孔であって、前記係止孔の長孔の両サイド近傍で、且つ長孔に沿った方向に延出する細長の孔を設けてなる冷ケース用表示支持具を提供するものである。従って、支持具本体の係止孔につまみ係止体の突起部を差し込むと、係止孔は外方、すなわち、孔の方向に変形するが、係止孔と孔との間の介在部分が変形して突起部を受入れ、その後は元に戻りつまみ係止体を抜けずらくする。
【０００８】
請求項３の発明は、前記つまみ係止体の突起部は、軸に翼を設けてなる冷ケース用表示支持具を提供するものである。従って、支持具本体の係止孔につまみ係止体の突起部を差し込んだ後、或いは更に冷ケースの冷気吸出入孔に突起部を差し込んだ後、つまみ係止体を軸を中心にして回転させれば、翼により支持具本体からつまみ係止体が抜けないし、冷ケースの冷気吸出入孔からも抜けなくなる。
【０００９】
請求項４の発明は、前記支持具本体に、表示物支持材を着脱自在に設けた冷ケース用表示支持具を提供するものである。従って、表示物支持材によっても表示物を支持出来る。
【００１０】
【発明の実施の形態】
以下、実施の形態をあげて本発明を添付図面に基づいて詳述する。
図１は本発明の実施形態である冷ケース用表示支持具を示す斜視図、図２は冷ケース用表示支持具を構成する支持具本体の平面図、図３は図２のIII −III 線に沿う断面図、図４は冷ケース用表示支持具を構成するつまみ係止体の平面図、図５及び６はつまみ係止体の側面図、図７はつまみ係止体の裏面図である。
【００１１】
図において、冷ケース用表示支持具１は、陳列用の冷ケース２の冷気吸出入孔３に装着させて表示物４を冷ケース２上に取り付けるものであり、表示物４を支持すると共に係止孔５を有する支持具本体６と、この支持具本体６の係止孔５及び冷気吸出入孔３に差し込み係止する突起部７を有するつまみ係止体８と、からなるものである。
【００１２】
前記支持具本体６は、樹脂等で一体に形成され、厚手の平板１０に大きく切り欠かれた側板１１を立設し、その側板１１の両端にも側板１２、１２を立設した形状を成している。この側板１１と側板１２、１２との間に表示物４を立てる溝１３、１３を設け、これら溝１３、１３には表示物４を立てる際脱落を防止するために凸条１３ａを設けている。
【００１３】
また、支持具本体６の平板１０には、その中央部裏面が大きく四角にえぐられており、薄手になっている。この平板１０の薄手部分１０ａに上述のように前記係止孔５が設けられている。この係止孔５の形状は、つまみ係止体８の突起部７が差し込み通過できる形状をしている。すなわち、つまみ係止体８は、図５、６に示すように、支持具本体６と同様に樹脂等で一体に形成され、突起部７につまみ部３０が設けられてなり、その突起部７は軸３１に翼３２、３３を設けた形状になっている。従って、係止孔５の形状は、翼３２、３３を通すべく長孔となり、その長孔中央は軸３１を通すべく円形孔となっている。
【００１４】
このような形状の係止孔５の両サイド近傍には、係止孔５につまみ係止体８の突起部７を受け入れた際、係止孔５の変形を補助するための孔１４、１４を設けている。すなわち、係止孔５に突起部７を挿入すると、係止孔５は外方の孔１４、１４の方向に変形するが、係止孔５と孔１４、１４との間の介在部分１５、１５が変形して突起部７を受入れ通過させ、その後は介在部分１５、１５が元に戻りつまみ係止体８を抜けずらくするのである。
【００１５】
なお、この実施例では、係止孔５と孔１４、１４との間の介在部分１５、１５にスリット１５ａ、１５ａを入れて、介在部分１５の変形をより一層し易くしているが、スリット１５ａ、１５ａは無くても差し支えない。また、この実施例では、軸３１を中心として突起部７の翼３２と翼３３との角度が１８０度でなく、α＝６〜１０度ほど小さくなっている。この場合、翼３２、３３により介在部分１５、１５の変形が大きくなるが、スリット１５ａ、１５ａの存在により介在部分１５、１５の変形がし易くなっているため、突起部７を受入れ通過させ、その後はなお一層つまみ係止体８が抜けずらくなる。特に、この冷ケース用表示支持具１は、支持具本体６とつまみ係止体８との一対で使用されるものであるから、保管時片方の紛失により使用出来なくなることを防止する。
【００１６】
また、前記支持具本体６の平板１０の薄手部分１０ａの両側裏側には、穴１０ｂ、１０ｂが設けられ、これらの穴１０ｂ、１０ｂにはそれぞれ滑り止めパッド１６、１６が固着され、前記冷ケース２に支持具本体６を取り付けた際、摩擦力によりなお一層確実に固定できるように工夫されている。
【００１７】
また、前記支持具本体６の平板１０に三角印１７、１７が係止孔５及び孔１４、１４の長手方向に直交して設けられ、かつ前記つまみ係止体８のつまみ部３０に三角印３４、３４が翼３２、３３の方向に設けられている。これは、係止孔５に突起部７を差し込み、更に突起部７を冷ケース２の冷気吸出入孔３に差し込で、つまみ部３０を回転させ三角印３４、３４を支持具本体６側の三角印１７、１７に合わすことにより、冷ケース２に冷ケース用表示支持具１を確実に固定できるようにしている。
【００１８】
更に、前記支持具本体６の平板１０の係止孔５と孔１４、１４との間に溝１８、１８が設けられ、かつ前記つまみ係止体８のつまみ部３０の軸３１側に凸部３５、３５が設けられている。これにより、冷ケース２の冷気吸出入孔３につまみ係止体８の突起部７を差し込む際、溝１８、１８及び凸部３５、３５が有るからルーズの状態になり、つまみ部３０によりつまみ係止体８を回転させると、溝１８、１８から凸部３５、３５が外れる結果、冷ケース２に冷ケース用表示支持具１を確実に固定できる。
【００１９】
そして、前記つまみ係止体８の軸３１に凸部３６、３６が軸方向に９０度間隔で設けられている。この結果支持具本体６の係止孔５につまみ係止体８の突起部７を差し込み、つまみ部３０によりつまみ係止体８をロックさせるために回転させると、凸部３６、３６が係止孔５に当たり抵抗を増し、９０度回転し終わると凸部３６、３６が係止孔５の長孔部分に入り抵抗がなくなり、支持具本体６につまみ係止体８にロックされたことが実感できるようになっている。
【００２０】
次に、上記構成になる冷ケース用表示支持具１の使用方法について説明をする。
冷ケース用表示支持具１は、紛失防止のため、通常支持具本体６につまみ係止体８をロックさせた状態で保管されている。従って、まず、つまみ部３０の三角印３４、３４と支持具本体６の三角印１７、１７とが合っているから、つまみ係止体８を９０度回転させる。また、冷ケース用表示支持具１がロック状態で保管されていない場合は、支持具本体６の係止孔５につまみ係止体８の突起部７を差し込んで、上記の状態と同じにする。
【００２１】
次に、図８に示すように、冷ケース２の冷気吸出入孔３につまみ係止体８の突起部７を差し込み、つまみ部３０の三角印３４、３４を支持具本体６の三角印１７、１７に合わせるように、つまみ係止体８を回転させれば、凸部３６、３６が係止孔５に当たり抵抗を増す。支持具本体６につまみ係止体８がロックさせると、すなわち９０度回転し終わると急に抵抗が無くなりロックされたことが実感でき、冷ケース２に冷ケース用表示支持具１を確実に固定することになる。そして、支持具本体６の溝１３、１３に商品名、セールスポイント、価格等を記載した表示物４を立てれば良い（先に表示物４を支持具本体６に立てた後、冷気吸出入孔３につまみ係止体８の突起部７を差し込んでも差し支えない）。
【００２２】
図９は、本発明の他の使用形態を示すもので、図１〜図８に示した冷ケース用表示支持具１の支持具本体６に表示物支持材１９を着脱自在に設けたものである。この表示物支持材１９は、軽量構造材のＣ字形チャンネル型に線材を加工したものであり、支持具本体６の側板１２、１２に設けた穴２０、２０に表示物支持材１９の両端を差し込み固定する。なお、いずれか片方の側板１２には表示物支持材１９を直立あるいは傾斜させるための突起２１、２２が設けられている。図９のように突起２１と側板１１との間に位置させれば、表示物支持材１９は直立し、突起２１と突起２２との間に位置させれば、表示物支持材１９は傾斜する。
【００２３】
以上、本発明の実施形態を説明したが、具体的な構成はこれに限定されず、本発明の要旨を逸脱しない範囲での変更、追加は本発明の範囲内である。
【００２４】
【発明の効果】
以上詳述したように、請求項１の発明によれば、支持具本体の係止孔につまみ係止体の突起部を差し込み、その状態で更に冷ケースの冷気吸出入孔に突起部を差し込み係止することで、支持具本体に商品の表示物を支持させることができる。従って、陳列商品や客の邪魔にならず、かつ陳列商品の近くに表示物を設置することが出来て、しかも倒れたり移動したりすることもない。
【００２５】
請求項２の発明によれば、上記効果に加え、支持具本体の係止孔につまみ係止体の突起部を差し込むと、係止孔は外方、すなわち孔の方向に変形するが、係止孔と孔との間の介在部分が変形して突起部を受入れ、その後は元に戻りつまみ係止体を抜けずらくする。従って、この冷ケース用表示支持具は、支持具本体とつまみ係止体との組製品なので、係止しておけば片方を紛失して使用できないことがない。
【００２６】
請求項３の発明によれば、上記効果に加え、支持具本体の係止孔につまみ係止体の突起部を差し込んだ後、或いは更に冷ケースの冷気吸出入孔に突起部を差し込んだ後、つまみ係止体を軸を中心にして回転させれば、翼により支持具本体からつまみ係止体が抜けないし、冷ケースの冷気吸出入孔からも抜けなくなる。
【００２７】
請求項４の発明によれば、上記効果に加え、表示物支持材によっても表示物を支持できるから、支持具本体では支持できない表示物も使用することができる。
【００２８】
【図面の簡単な説明】
【図１】本発明の実施の形態である冷ケース用表示支持具を示す斜視図である。
【図２】冷ケース用表示支持具を構成する支持具本体の平面図である。
【図３】図２のIII −III 線に沿う断面図である。
【図４】冷ケース用表示支持具を構成するつまみ係止体の平面図である。
【図５】つまみ係止体の側面図である。
【図６】つまみ係止体の側面図である。
【図７】つまみ係止体の裏面図である。
【図８】本発明の実施の形態である冷ケース用表示支持具の使用状態を示す斜視図である。
【図９】本発明の他の使用の形態である冷ケース用表示支持具を示す斜視図である。
【図１０】従来例を示す斜視図である。
【符号の説明】
１            冷ケース用表示支持具
２、ａ        冷ケース
３            冷気吸出入孔
４、ｆ        表示物
５            係止孔
６            支持具本体
７            突起部
８            つまみ係止体
１０          平板
１０ａ        薄手部分
１０ｂ、２０  穴
１１、１２    側板
１３、１８    溝
１３ａ        凸条
１４          孔
１５          介在部分
１５ａ        スリット
１６          滑り止め
１７、３４    三角印
１９          表示物支持材
２１、２２    突起
３０          つまみ部
３１          軸
３２、３３    翼
３５、３６    凸部
ｂ            吹出孔
ｃ            ケース枠
ｄ            冷気吸入孔
ｅ            エアーカーテン
ｇ            外置きスタンドポップ
ｈ            内置きスタンドポップ
【図１】
0003703119.tif 000002
【図２】
0003703119.tif 000003
【図３】
0003703119.tif 000004
【図４】
0003703119.tif 000005
【図５】
0003703119.tif 000006
【図６】
0003703119.tif 000007
【図７】
0003703119.tif 000008
【図８】
0003703119.tif 000009
【図９】
0003703119.tif 000010
【図１０】
0003703119.tif 000011